(57)【特許請求の範囲】
【請求項１】
入力映像信号の波形に係るタイミングデータを取得するタイミングデータ取得手段と、
上記タイミングデータ取得手段により取得されたタイミングデータを用いて、映像表示状態を調整するための調整パラメータを算出する第１の算出手段と、
上記第１の算出手段により算出された調整パラメータを偏向制御回路に設定する設定手段と、
上記入力映像信号の水平同期信号に対する偏向パルスの遅延量を計測する遅延量計測手段と、
上記遅延量計測手段により計測された遅延量が目標の遅延量の範囲内かどうか判定する判定手段と、
上記調整パラメータのうち水平方向における映像領域位置を調整するための水平位置調整パラメータの値を変更して上記偏向制御回路に再設定する再設定手段とを備え、
上記再設定手段は、
上記判定手段により上記計測された遅延量が目標の遅延量の範囲外であると判定したとき、上記計測された遅延量が目標の遅延量となるまで上記水平位置調整パラメータの値を１変更単位量ずつ増加又は減少させて変更し、当該変更された水平位置調整パラメータを上記偏向制御回路に再設定することを特徴とする映像表示装置。
【請求項２】
上記タイミングデータ取得手段は、
映像信号の種別毎に、それぞれの信号波形に係るタイミングデータを記憶するデータ記憶手段と、
上記入力映像信号の種別を検出する第１の検出手段と、
上記第１の検出手段により検出された入力映像信号の種別に対応したタイミングデータを上記データ記憶手段から読み出す読み出し手段とを有する
ことを特徴とする請求項１に記載の映像表示装置。
【請求項３】
上記タイミングデータ取得手段は、
上記入力映像信号の水平同期周波数および垂直同期周波数を検出する第２の検出手段と、
上記データ記憶手段に上記第１の検出手段により検出された入力映像信号の種別に対応したタイミングデータがないとき、上記第２の検出手段で検出された水平同期周波数および垂直同期周波数を用いて、上記入力映像信号の波形に係るタイミングデータを算出する第２の算出手段とをさらに備える
ことを特徴とする請求項２に記載の映像表示装置。
【請求項４】
上記タイミングデータ取得手段は、
上記入力映像信号の水平同期周波数および垂直同期周波数を検出する検出手段と、
上記検出手段で検出された水平同期周波数および垂直同期周波数を用いて、上記入力映像信号の波形に係るタイミングデータを算出する第２の算出手段とを有する
ことを特徴とする請求項１に記載の映像表示装置。
【請求項５】
入力映像信号の波形に係るタイミングデータを取得するステップと、
上記取得されたタイミングデータを用いて、映像表示状態を調整するための調整パラメータを算出するステップと、
上記算出された調整パラメータを偏向制御回路に設定するステップと、
上記入力映像信号の水平同期信号に対する偏向パルスの遅延量を計測するステップと、
上記計測された遅延量が目標の遅延量の範囲内かどうか判定するステップと、
上記計測された遅延量が目標の遅延量の範囲外であると判定されるとき、上記計測された遅延量が目標の遅延量となるまで上記調整パラメータのうち水平方向における映像領域位置を調整するための水平位置調整パラメータの値を１変更単位量ずつ増加又は減少させて変更し、当該変更された水平位置調整パラメータを上記偏向制御回路に再設定するステップと
を備えることを特徴とする映像表示方法。
【請求項６】
上記タイミングデータを取得するステップは、
上記入力映像信号の種別を検出するステップと、
上記検出された入力映像信号の種別に対応したタイミングデータを、映像信号の種別毎にそれぞれの信号波形に係るタイミングデータを記憶しているデータ記憶手段から読み出すステップとを有する
ことを特徴とする請求項５に記載の映像表示方法。
【請求項７】
上記タイミングデータを取得するステップは、
上記入力映像信号の水平同期周波数および垂直同期周波数を検出するステップと、
上記データ記憶手段に上記検出された入力映像信号の種別に対応したタイミングデータがないとき、上記検出された水平同期周波数および垂直同期周波数を用いて、上記入力映像信号の波形に係るタイミングデータを算出するステップとをさらに備える
ことを特徴とする請求項６に記載の映像表示方法。
【請求項８】
上記タイミングデータを取得するステップは、
上記入力映像信号の水平同期周波数および垂直同期周波数を検出するステップと、
上記検出された水平同期周波数および垂直同期周波数を用いて、上記入力映像信号の波形に係るタイミングデータを算出するステップとを有する
ことを特徴とする請求項５に記載の映像表示方法。
【発明の詳細な説明】
【０００１】
【技術分野】
【０００２】
この発明は、複数種類の入力映像信号に対応して映像表示が可能な映像表示装置および映像表示方法に関する。
【０００３】
詳しくは、この発明は、入力映像信号の波形に係るタイミングデータを用いて映像表示状態を調整するための調整パラメータを算出し、この調整パラメータを偏向制御回路に設定し、その後入力映像信号の水平同期信号に対する偏向パルスの遅延量を計測し、この遅延量が目標の遅延量となるように、水平位置パラメータの値を変更して偏向制御回路に再設定することによって、偏向系に経時劣化があっても、水平方向の表示位置を正しい位置とできるようにした映像表示装置および映像表示方法に係るものである。
【背景技術】
【０００４】
パーソナルコンピュータを初めとする情報処理装置においては、ＣＲＴ（陰極線管）やＬＣＤ（液晶表示装置）等の様々な映像表示装置が使用されるが、これらの情報処理装置はメーカや型式等によって様々な種類の映像信号を出力するようになっている。そのため、近年では、これらの種々の映像信号に対応し得る機能を持った映像表示装置として、いわゆるマルチスキャン型モニタと呼ばれる装置が登場している。
【０００５】
ここで、図１４および図１５を参照して、一般の情報処理装置から映像表示装置に入力される映像信号（ビデオ信号）について説明する。図１４はビデオ信号の１水平走査期間の波形を示し、図１５はビデオ信号の１垂直走査期間の信号波形を示している。
【０００６】
図１４に示したように、各水平走査期間は一定周期の水平同期信号ＳＹＮＣＨによって区画されている。そして、１水平走査期間は、水平同期信号ＳＹＮＣＨのパルス幅区間と、バックポーチ区間ＢＰＨと、水平アクティブ区間ＡＣＴＨと、フロントポーチ区間ＦＰＨとから構成されている。ここで、水平アクティブ区間ＡＣＴＨは画面の左右方向において実際に映像が表示される区間であり、バックポーチ区間ＢＰＨおよびフロントポーチ区間ＦＰＨは、画面上では左右端の黒枠として表示される区間である。
【０００７】
また、図１５に示したように、各垂直走査期間は一定周期の垂直同期信号ＳＹＮＣＶによって規定されている。そして、１垂直走査期間は、垂直同期信号ＳＹＮＣＶのパルス幅区間と、ハックポーチ区間ＢＰＶと、垂直アクティブ区間ＡＣＴＶと、フロントポーチ区間ＦＰＶとから構成されている。ここで、垂直アクティブ区間ＡＣＴＶは、画面の上下方向において実際に映像が表示される区間であり、バックポーチ区間ＢＰＶおよびフロントポーチ区間ＦＰＶは、画面上では上下端の黒枠として表示される区間である。
【０００８】
図１４および図１５に示したように、映像信号はいくつかのタイミング要素（以下、「タイミングデータ」という）を有しており、これらのうちの１つでも異なると、別の種類の映像信号となる。例えば、水平同期信号ＳＹＮＣＨの周波数（水平同期周波数）が異なる映像信号では、バックポーチ区間ＢＰＨ、水平アクティブ区間ＡＣＴＨあるいはフロントポーチ区間ＦＰＨも異なるのが一般的である。垂直方向についても同様である。
【０００９】
このような映像信号の種別は、これを出力するコンピュータやビデオカード等によって様々に異なり、その種類は数百種類に及ぶと考えられる。そして、上述したマルチスキャン型モニタにおいては、どのような種類の映像信号が入力されても、これを画面上に正しいサイズで正しい位置に表示できることが要求される。そのために、従来は、以下のような手法によってその要求に対応するようになっていた。
【００１０】
第１の手法は、次のようなものである。すなわち、予め工場において、タイミングデータが既知である映像信号を映像表示装置に実際に入力して、その画面上の表示映像が所定のサイズおよび位置となるように調整を行い、そのときの調整値（調整パラメータ）を、その映像信号の種別に対応付けて不揮発性メモリ等に書き込む。このような調整および調整値書込み処理を、使用が想定されるすべての既知の映像信号について行う。一方、実際の使用時においては、ユーザのコンピュータから入力された映像信号の種別を調べ、その種別に対応した調整パラメータを不揮発性メモリ等から読み出して、これを用いて表示を行う。
【００１１】
第２の手法は、次のようなものである。すなわち、実際の使用時において、入力された映像信号に係るすべてのタイミングデータを計測し、これらのタイミングデータを基に所定の演算を行って調整パラメータを求め、これを用いて表示を行う。この場合には、第１の手法のように、予め工場で調整を行う必要がない。
【００１２】
しかしながら、上記した第１の手法では、工場において、１種類の映像信号について数個の調整パラメータの調整を行う必要があったので、対応しようとする映像信号が数百種類に及ぶときには、入力する映像信号を切り替えるごとに調整を行わなければならず、それに多大の時間と労力が費やされるという問題点があった。この問題の対策として、例えば、画面上の表示領域のサイズと位置とをセンサで検出し、これらが最適状態となるように自動調整を行うという方法も考えられる。しかしながら、これにはそのための自動調整機が必要であり、製造コストを増大させる要因となる。
【００１３】
また、第２の手法では、入力される映像信号に係るすべてのタイミングデータを計測し、その計測値を基に調整パラメータを算出するようにしているため、計測誤差が生じたときには、調整の精度が低下するという問題点があった。特に、周波数が高い場合や、アクティブ区間が短い映像信号（点または線等）については、計測誤差が大きくなる可能性があり、調整精度の低下が顕著になることが予想される。さらに、映像信号に係るタイミングデータの計測には相応の時間を要するため、映像信号を入力してから画面上に適正な映像が表示されるまでの時間が長くなるという問題点もあった。
【００１４】
そこで、本出願人は、先に、映像信号の種別毎にそれぞれの信号波形に係るタイミングデータを記憶手段に記憶しておき、実際の使用時においては、入力映像信号の種別を検出し、記憶手段に記憶されているその種別に対応したタイミングデータを用いて調整パラメータを算出し、この調整パラメータに基づいて映像表示を行うことを提案した（特開平１１−５２９３４号参照）。これによれば、上述した第１の手法および第２の手法におけるような問題点はなくなる。
【００１５】
しかし、複数種別の映像信号に対応したタイミングデータを記憶しておくものであり、そのための大容量のメモリが必要となり、装置全体のコストアップにつながるという問題点がある。
【００１６】
また、映像信号の種別に対応したタイミングデータを用いて調整パラメータを算出し、この調整パラメータに基づいて映像表示を行うものにあっては、偏向系に経時劣化が生じた場合に、水平方向の表示位置を正しい位置にすることができなくなるという問題点がある。
【発明の開示】
【００１７】
この発明の目的は、算出された調整パラメータに基づいて映像表示を行うものにあって、偏向系に経時劣化があっても水平方向の表示位置を正しい位置とできるようにすることにある。
【００１８】
この発明に係る映像表示装置は、入力映像信号の波形に係るタイミングデータを取得するタイミングデータ取得手段と、このタイミングデータ取得手段により取得されたタイミングデータを用いて、映像表示状態を調整するための調整パラメータを算出する第１の算出手段と、この第１の算出手段により算出された調整パラメータを偏向制御回路に設定する設定手段と、入力映像信号の水平同期信号に対する偏向パルスの遅延量を計測する遅延量計測手段と、この遅延量計測手段により計測された遅延量が目標の遅延量の範囲内かどうか判定する判定手段と、調整パラメータのうち水平方向における映像領域位置を調整するための水平位置調整パラメータの値を変更して上記偏向制御回路に再設定する再設定手段とを備え、この再設定手段は、判定手段により計測された遅延量が目標の遅延量の範囲外であると判定したとき、計測された遅延量が目標の遅延量となるまで水平位置調整パラメータの値を１変更単位量ずつ増加又は減少させて変更し、当該変更された水平位置調整パラメータを偏向制御回路に再設定するものである。
【００１９】
また、この発明に係る映像表示方法は、入力映像信号の波形に係るタイミングデータを取得するステップと、この取得されたタイミングデータを用いて、映像表示状態を調整するための調整パラメータを算出するステップと、この算出された調整パラメータを偏向制御回路に設定するステップと、入力映像信号の水平同期信号に対する偏向パルスの遅延量を計測するステップと、この計測された遅延量が目標の遅延量の範囲内かどうか判定するステップと、この計測された遅延量が目標の遅延量の範囲外であると判定されるとき、この計測された遅延量が目標の遅延量となるまで、調整パラメータのうち水平方向における映像領域位置を調整するための水平位置調整パラメータの値を１変更単位量ずつ増加又は減少させて変更し、当該変更された水平位置調整パラメータを偏向制御回路に再設定するステップとを備えるものである。
【００２０】
この発明においては、入力映像信号の波形に係るタイミングデータが取得される。例えば、入力映像信号の種別を検出し、この検出された入力映像信号の種別に対応したタイミングデータが、映像信号の種別毎にそれぞれの信号波形に係るタイミングデータを記憶しているデータ記憶手段から読み出される。
【００２１】
なお、データ記憶手段に入力映像信号の種別に対応したタイミングデータがないときは、例えば入力映像信号から検出された水平同期周波数および垂直同期周波数を用いて、入力映像信号の波形に係るタイミングデータが算出される。
【００２２】
また例えば、タイミングデータを記憶しているデータ記憶手段を利用することなく、入力映像信号の水平同期周波数および垂直同期周波数が検出され、この検出された水平同期周波数および垂直同期周波数を用いて、入力映像信号の波形に係るタイミングデータが算出される。
【００２３】
そして、このタイミングデータが用いられ、サイズや位置などの映像表示状態を調整するための調整パラメータが算出され、その調整パラメータが偏向制御回路に設定され、この調整パラメータに基づいて入力映像信号に係る映像表示が行われる。
【００２４】
その後、入力映像信号に対する偏向パルスの遅延量が計測される。ここで、偏向系に経時劣化がない場合には、算出された水平位置調整パラメータを偏向制御回路に設定することで、上述の遅延量は目標の遅延量と等しくなり、水平方向の表示位置が正しい位置となる。しかし、偏向系に経時劣化があるときは、この遅延量が目標の遅延量とは異なったものとなる。
【００２５】
そのため、この計測された遅延量が目標の遅延量となるように、水平位置調整パラメータの値が変更されて偏向制御回路に再設定される。これにより、偏向系に経時劣化があっても、水平方向の表示位置が正しい位置とされる。
【発明を実施するための最良の形態】
【００２６】
この発明の第１の実施の形態について説明する。図１は、第１の実施の形態としての映像表示装置１００の構成を示している。この映像表示装置１００は、それぞれＶＥＳＡのＧＴＦ規格に対応した複数の種別の映像信号（以下、「ビデオ信号」という）に対応可能なマルチスキャン型モニタとして構成されたものである。
【００２７】
この映像表示装置１００は、システムバス１０によって相互に接続された主制御部１１、不揮発性メモリ１２、ビデオ出力回路１３、水平偏向制御回路１４、垂直偏向制御回路１５、およびビデオ信号計測回路１６を有している。ここで、ビデオ信号の種別とは、同期信号の周波数によって特定され得るビデオ信号の種類を意味する。
【００２８】
また、映像表示装置１００は、主制御部１１と図示しない情報処理装置（コンピュータ本体）側とを接続するための入出力インタフェース（Ｉ／Ｆ）回路１７と、水平偏向制御回路１４の出力端に接続された水平偏向パルス出力回路１８と、垂直偏向制御回路１５の出力端に接続された垂直偏向パルス出力回路１９と、ビデオ出力回路１３、水平偏向パルス出力回路１８および垂直偏向パルス出力回路１９による制御により映像を表示するＣＲＴ（陰極線管）２０とを有している。
【００２９】
主制御部１１は、ＣＰＵ（中央処理装置）１１ａと、ＣＰＵ１１ａが実行するための制御プログラムや必要なデータを格納しているＲＯＭ(Read Only Memory)１１ｂと、ＣＰＵ１１ａによってワークメモリとして用いられるＲＡＭ(Random Access Memory)１１ｃとを含んで構成され、各部の動作を制御するようになっている。
【００３０】
不揮発性メモリ１２は、例えばＥ2ＰＲＯＭ（電気的に消去可能なプログラム可能ＲＯＭ）等からなり、少なくとも、調整パラメータテーブル１２ｂと、固有特性データ記憶エリア１２ｃとを含むように構成される。
【００３１】
調整パラメータテーブル１２ｂは、ユーザが本装置を使用することによってその構成データ（調整パラメータ）が順次追加されるという性質をもったユーザテーブルであり、例えば後述する図２のような構成となっている。固有特性データ記憶エリア１２ｃは、予め工場においてその映像表示装置について計測された固有の表示特性を示す特性データを格納した領域であり、例えば後述する図３のような内容となっている。
【００３２】
ビデオ出力回路１３は、システムバス１０を介して主制御部１１から与えられる指示に基づいて、入力ビデオ信号２１に所定の信号処理を施してＲＧＢのビデオ信号２２を作成し、ＣＲＴ２０に供給する。
【００３３】
水平偏向制御回路１４は、主制御部１１により設定された制御データ（具体的には、水平サイズ調整パラメータと水平位置調整パラメータ）に従って、ＣＲＴ２０における水平方向の電子ビーム偏向を制御するための偏向制御信号を水平偏向パルス出力回路１８に供給する。垂直偏向制御回路１５は、主制御部１１により設定された制御データ（具体的には、垂直サイズ調整パラメータと垂直位置調整パラメータ）に従って、ＣＲＴ２０における垂直方向の電子ビーム偏向を制御するための偏向制御信号を垂直偏向パルス出力回路１９に供給する。
【００３４】
水平偏向パルス出力回路１８は、水平偏向制御回路１４から入力された偏向制御信号に対して波形整形等の所定の信号処理を行い、水平偏向パルス２３としてＣＲＴ２０の水平偏向ヨーク（図示せず）に印加する。垂直偏向パルス出力回路１９は、垂直偏向制御回路１５から入力された偏向制御信号に対して波形成形等の所定の信号処理を行い、垂直偏向パルス２４としてＣＲＴ２０の垂直偏向ヨーク（図示せず）に印加する。
【００３５】
水平偏向パルス２３は、後述するように、入力ビデオ信号２１における水平同期信号の周波数と同一の周波数を持つように設定される。この水平偏向パルス２３の１パルスがＣＲＴ２０の水平偏向ヨークに印加される毎に、１水平ラインの走査が行われる。垂直偏向パルス２４は、ビデオ入力信号２１における垂直同期信号の周波数と同一の周波数を持つように設定される。この垂直偏向パルス２４の１パルスがＣＲＴ２０の垂直偏向ヨークに印加されるごとに、１フレーム分の走査が行われる。
【００３６】
水平偏向パルス２３は、主制御部１１および垂直偏向制御回路１５にも入力される。主制御部１１は、水平偏向制御回路１４および水平偏向パルス出力回路１８と共にフィードバックループを形成しており、ビデオ出力回路１３に入力された入力ビデオ信号２１の種別に応じて適正な水平偏向制御を行うようになっている。垂直偏向制御回路１５は、１フレーム分の水平偏向パルス２３ごとに、上述の偏向制御信号を垂直偏向パルス出力回路１９に供給する。
【００３７】
ビデオ信号計測回路１６にはビデオ出力回路１３から入力ビデオ信号２１と同じ信号が入力される。ビデオ信号計測回路１６は、入力ビデオ信号２１における同期信号の周波数（水平同期周波数ｆＨ、垂直同期周波数ｆＶ）を検出し、その検出結果を主制御部１１に送出する。
【００３８】
主制御部１１は、ビデオ信号計測回路１６から送出された水平同期周波数、垂直同期周波数を用いて、入力ビデオ信号２１の波形に係るタイミングデータを算出する。このタイミングデータには、水平タイミングデータｔ１，ｔ２，ｔ３と、垂直タイミングデータＬ１，Ｌ２，Ｌ３とが含まれている。
【００３９】
ここで、図４Ａ，４Ｂおよび図５を参照して、水平タイミングデータｔ１，ｔ２，ｔ３、垂直タイミングデータＬ１，Ｌ２，Ｌ３について説明する。なお、図４Ａは入力ビデオ信号２１の１水平走査期間の波形を示し、図４Ｂは水平偏向パルス２３のタイミングを示し、図５は入力ビデオ信号２１の１垂直走査期間の波形を示している。
【００４０】
図４Ａに示したように、水平タイミングデータｔ１は水平同期信号ＳＹＮＣＨの前側のフロントポーチＦＰＨの長さを表すデータであり、水平タイミングデータｔ２は水平同期信号ＳＹＮＣＨとその後側のバックポーチＢＰＨとを併せた長さを表すデータである。水平タイミングデータｔ３は、バックポーチＢＰＨとフロントポーチＦＰＨとで挟まれた水平アクティブ区間ＡＣＴＨ、すなわちビデオ信号の実体部分の長さを表すデータである。このアクティブ区間がＣＲＴ２０の画面の左右方向における映像領域の幅に対応する。
【００４１】
これらのデータの単位としては、例えばマイクロ秒[μｓ]が用いられる。以下の説明では、フロントポーチＦＰＨ、水平同期信号ＳＹＮＣＨおよびバックポーチＢＰＨの区間（ｔ１＋ｔ２）を水平非アクティブ区間と呼ぶ。なお、水平同期信号ＳＹＮＣＨの周期ｔＨ（＝ｔ１＋ｔ２＋ｔ３）は、水平同期周波数ｆＨから決まる。
【００４２】
図４Ｂに示したように、水平偏向パルス２３は一定のパルス幅ｔ４を有するが、その周期は水平同期信号ＳＹＮＣＨの周期ｔＨと等しくなるように設定される。ただし、その位相はビデオ信号に対してδＨだけずれるように設定される。具体的には、ビデオ信号の非アクティブ区間の中心と水平偏向パルス２３のパルス幅中心との間にオフセット量δＨが存在するように設定される。
【００４３】
本来、このオフセット量δＨが０であれば、ビデオ信号の水平アクティブ区間ＡＣＴＨの中心と水平偏向パルス２３のパルス間隔の中心とが一致し、この状態が画面の中心と映像表示領域の中心とを一致させる上で理想的である。
【００４４】
ところが、実際には、水平偏向ヨークがもつ遅延特性により、水平方向のビームの走査開始位置は水平偏向パルス２３の位置に対してδＨだけずれる。しかも、このオフセット量δＨは、水平偏向パルス２３の周波数の大小に依存する。したがって、後述するように、映像表示領域を正確に画面の中央にもってくるためには、水平偏向パルス２３の周波数、すなわち水平同期信号ＳＹＮＣＨの周波数に応じてオフセット量δＨを適切に設定しなければならない。
【００４５】
図５に示したように、垂直タイミングデータＬ１は垂直同期信号ＳＹＮＣＶの前側のフロントポーチＦＰＶの長さを表すデータであり、垂直タイミングデータＬ２は垂直同期信号ＳＹＮＣＶとその後側のバックポーチＢＰＶとを併せた長さを表すデータである。垂直タイミングデータＬ３は、バックポーチＢＰＶとフロントポーチＦＰＶとで挟まれた垂直アクティブ区間ＡＣＴＶ、すなわちビデオ信号の実体部分の長さを表すデータである。この垂直アクティブ区間ＡＣＴＶがＣＲＴ２０の画面の上下方向における映像領域に対応する。
【００４６】
これらのデータの単位としては、例えばライン数が用いられる。以下の説明では、フロントポーチＦＰＶ、水平同期信号ＳＹＮＣＶおよびバックポーチＢＰＶの区間（Ｌ１＋Ｌ２）を垂直非アクティブ区間と呼ぶ。なお、垂直同期信号ＳＹＮＣＶの周期ＬＶ（＝Ｌ１＋Ｌ２＋Ｌ３）は、垂直同期周波数ｆＶから決まる。
【００４７】
ここで、ビデオ信号計測回路１６から送出された水平同期周波数ｆＨ（ｋＨｚ）、垂直同期周波数ｆＶ（Ｈｚ）を用いて、水平タイミングデータｔ１，ｔ２，ｔ３と、垂直タイミングデータＬ１，Ｌ２，Ｌ３の算出の仕方を説明する。
【００４８】
（Ａ）水平タイミングデータｔ１，ｔ２，ｔ３について
基礎オフセット定数(Basic offset constant)Ｃ′[％]、基礎グラディエント定数(Basic gradient constant）Ｍ′[％／ｋＨｚ]を、それぞれ（１）式、（２）式で、求める。これら（１）式、（２）式において、Ｃは拡張オフセット定数(Extended offset constant)[％]、Ｍは拡張グラディエント定数(Extended gradient constant)[％／ｋＨｚ]、Ｋはブランキングタイム・スケーリングファクタ(Blanking time scaling factor)、Ｊはスケーリングファクタ重み(Scalingfactor weighting)である。
Ｃ′＝（Ｃ−Ｊ）＊Ｋ／２５６）＋Ｊ            ・・・（１）
Ｍ′＝Ｍ＊Ｋ／２５６                          ・・・（２）
【００４９】
これらＣ′，Ｍ′を使用し、水平ブランキングのデューティH Blk Dutyを、（３）式で求める。
H Blk Duty＝Ｃ′−（Ｍ′／ｆＨ）            ・・・（３）
【００５０】
また、水平同期信号ＳＹＮＣＨの周期ｔＨ[μｓ]を、（４）式で求める。
ｔＨ＝１０3／ｆＨ                             ・・・（４）
【００５１】
そして、これら水平ブランキングのデューティH Blk Dutyと、水平同期信号ＳＹＮＣＨの周期ｔＨとから、（５）式で、水平ブランキング期間（非アクティブ区間）Ｈ．Ｂｌｋ[μｓ]を求める。
Ｈ．Ｂｌｋ＝H Blk Duty＊ｔＨ                  ・・・（５）
【００５２】
また、水平同期信号ＳＹＮＣＨのパルス幅区間Ｈ．Ｓｙｎｃ[μｓ]はＧＴＦ規格では水平同期信号ＳＹＮＣＨの周期ｔＨの８％となっているので、このＨ．Ｓｙｎｃを（６）式で求める。
Ｈ．Ｓｙｎｃ＝ｔＨ＊０．０８                  ・・・（６）
【００５３】
ＧＴＦ規格では水平同期信号ＳＹＮＣＨの後縁が水平ブランキング期間の中央にくると決まっているので、水平同期信号ＳＹＮＣＨの前側のフロントポーチＦＰＨの長さｔ１[μｓ]、水平同期信号ＳＹＮＣＨとその後側のバックポーチＢＰＨとを併せた長さｔ２[μｓ]を、それぞれ（７）式、（８）式で求める。
ｔ１＝Ｈ．Ｂｌｋ／２−Ｈ．Ｓｙｎｃ            ・・・（７）
ｔ２＝Ｈ．Ｂｌｋ／２＋Ｈ．Ｓｙｎｃ            ・・・（８）
【００５４】
そして、バックポーチＢＰＨとフロントポーチＦＰＨとで挟まれた水平アクティブ区間ＡＣＴＨの長さｔ３[μｓ]を、（９）式で求める。
ｔ３＝ｔＨ−（ｔ１＋ｔ２）                    ・・・（９）
実際に、入力ビデオ信号が８００×６００の信号であって、その水平同期周波数ｆＨが６４[ｋＨｚ]、その垂直同期周波数ｆＶが１００．６３[Ｈｚ]である場合の各値の算出例を示す。
【００５５】
この場合、Ｃ＝４０[％]、Ｊ＝２０[％]、Ｍ＝６００[％／ｋＨｚ]、Ｋ＝１２８のデフォルト値が使用され、（１）式、（２）式で、Ｃ′＝３０、Ｍ′＝３００と求まる。そして、これらＣ′，Ｍ′の値が使用され、（３）式で、H Blk Duty＝２５．３１２５[％]と求まる。また、（４）式で、ｔＨ＝１５．６２５[μｓ]と求まり、（５）式で、Ｈ．Ｂｌｋ＝３．９５５[μｓ]と求まり、さらに（６）式で、Ｈ．Ｓｙｎｃ＝１．２５[μｓ]と求まる。そして、（７）式、（８）式、（９）式で、それぞれｔ１＝０．７２８[μｓ]、ｔ２＝３．２２８[μｓ]、ｔ３＝１１．６６９[μｓ]と求まる。
【００５６】
（Ｂ）垂直タイミングデータＬ１，Ｌ２，Ｌ３について
トータルの垂直ライン数ＬＶ[本]は、垂直周期／水平周期であり、（１０）式で求める。
ＬＶ＝（１／ｆＶ）÷（１／（ｆＨ×１０3））        ・・・（１０）
【００５７】
また、ＧＴＦ規格では垂直同期信号ＳＹＮＣＶとその後側のバックポーチＢＰＶの幅が５５０[μｓ]と決まっているので、垂直同期信号ＳＹＮＣＶとその後側のバックポーチＢＰＶとを併せた長さＬ２[本]を、（１１）式で求める。
Ｌ２＝５５０／（１０3／ｆＨ）                      ・・・（１１）
【００５８】
また、ＧＴＦ規格では垂直同期信号ＳＹＮＣＶの前側のフロントポーチＦＰＶの長さＬ１は１ラインで固定である。つまり、Ｌ１＝１[本]である。さらに、パックポーチＢＰＶとフロントポーチＦＰＶとで挟まれた垂直アクティブ区間ＡＣＴＶの長さＬ３[本]を、（１２）式で求める。
Ｌ３＝ＬＶ−（Ｌ１＋Ｌ２）                         ・・・（１２）
実際に、入力ビデオ信号が８００×６００の信号であって、その水平同期周波数ｆＨが６４[ｋＨｚ]、その垂直同期周波数ｆＶが１００．６３[Ｈｚ]である場合の各値の算出例を示す。
【００５９】
この場合、（１０）式で、ＬＶ＝６３６[本]と求まる。そして、（１１）式、（１２）式で、それぞれＬ２＝３５[本]、Ｌ３＝６００[本]と求まる。なお、上述したように、Ｌ１＝１[本]である。
【００６０】
図２は、不揮発性メモリ１２における調整パラメータテーブル１２ｂの内容を表すものである。この調整パラメータテーブル１２ｂは、ビデオ信号の種別（水平同期周波数ｆＨおよび垂直同期周波数ｆＶの組み合わせで特定される）毎に、調整パラメータを対応付けて格納したものであり、新たな種別のビデオ信号が入力される都度新たなデータ（１組の調整パラメータ）が追加登録される。
【００６１】
ここで、調整パラメータは、ＣＲＴ２０の画面の水平方向における映像領域サイズを調整するための水平サイズパラメータＳＨと、水平方向における映像領域位置を調整するための水平位置パラメータＰＨと、垂直方向における映像領域サイズを調整するための垂直サイズパラメータＳＶと、垂直方向における映像領域位置を調整するための垂直位置パラメータＰＶとを含んでいる。
【００６２】
この調整パラメータテーブル１２ｂは、新たな種別のビデオ信号が入力されるたびに主制御部１１によって参照され、そこから検索された調整パラメータを基に、ＣＲＴ２０の画面への映像表示が行われる。ただし、調整パラメータテーブル１２ｂの中に、該当する種別のビデオ信号に関する調整パラメータが登録されていなかったときは、主制御部１１は、水平同期周波数ｆＨおよび垂直同期周波数ｆＶに基づいて水平タイミングデータｔ１，ｔ２，ｔ３および垂直タイミングデータＬ１，Ｌ２，Ｌ３を算出し、これらタイミングデータを用いて調整パラメータを演算により求め、その求めた調整パラメータに基づいてＣＲＴ２０の画面への映像表示を行う。
【００６３】
図３は、不揮発性メモリ１２における固有特性データ記憶エリア１２ｃの内容を表すものである。この固有特性データ記憶エリア１２ｃは、上述のように、その映像表示装置についての固有の表示特性を示す特性データを格納した領域である。これらの特性データは、予め工場で実際にテスト用のビデオ信号を入力して計測することにより取得したデータである。
【００６４】
図３に示したように、この特性データには、テスト用のビデオ信号を入力した場合における画面の水平方向の映像領域幅の物理サイズＤ１，Ｄ２と水平サイズ調整パラメータＳＨ１、ＳＨ２との対応関係を表すデータと、そのビデオ信号のアクティブ率ｒ０（周期ｔＨから水平偏向パルス２３のパルス幅ｔ４を差し引いた区間の長さ（ｔＨ−ｔ４）に対する水平アクティブ区間ＡＣＴＨの長さｔ３の比）とが含まれている。これらのデータは、後述するように、目標の水平サイズ調整パラメータＳＨを求めるときに用いられるようになっている。
【００６５】
また、図３に示すように、特性データには、水平オフセット率δｒＨの水平同期周波数依存特性を表すデータも含まれている。ここで、水平オフセット率δｒＨとは、後述するように、水平周期ｔＨに対する水平オフセット量δＨの比である。例えば、図３に示した例では、水平同期信号ＳＹＮＣＨの周波数ｆＨがそれぞれｆＨ１，ｆＨ２，ｆＨ３，ｆＨ４である場合において、映像領域が画面の左右方向の中央に来るようにするためには、水平オフセット率δｒＨをそれぞれδｒＨ１，δｒＨ２，δｒＨ３，δｆＨ４に設定しなければならないことを示すデータが記憶されている。さらに、図３に示したように、特性データには、図４Ａおよび図４Ｂにおける水平同期信号ＳＹＮＣＨの先端から水平偏向パルス２３の後端までの時間（以下、「遅延量」という）ΔＨとしてのΔＨ１，ΔＨ２と水平位置パラメータＰＨ１，ＰＨ２とを対応付けたものが含まれている。これらのデータは、後述するように、目標の水平位置調整パラメータＰＨを求めるときに用いられるようになっている。
【００６６】
なお、図３では水平方向に係る特性データのみを図示して説明したが、この固有特性データ記憶エリア１２ｃには垂直方向に係る同様の特性データも格納されており、垂直サイズ調整パラメータＳＶや垂直位置調整パラメータＰＶを求める際に参照されるようになっている。
【００６７】
次に、図６を参照して、上述の映像表示装置１００の動作を説明する。ここでは、主制御部１１の動作を中心として説明するものとし、他の部分の説明は省略する。
【００６８】
まず、主制御部１１は、ビデオ出力回路１３に入力ビデオ信号２１の入力があると、ステップＳＴ１で、ビデオ信号計測回路１６に、入力ビデオ信号２１の水平同期周波数ｆＨおよび垂直同期周波数ｆＶの計測を指示し、その計測結果を取得する。
【００６９】
次に、ステップＳＴ２で、主制御部１１は、取得した同期周波数ｆＨ，ｆＶを検索キーとして調整パラメータテーブル１２ｂ（図２参照）を検索する。そして、ステップＳＴ３で、その同期周波数ｆＨ，ｆＶに対応した調整パラメータがあるか否かを判定する。取得した同期周波数ｆＨ，ｆＶに対応した調整パラメータがあるときは、ステップＳＴ４に進み、その調整パラメータを調整パラメータテーブル１２ｂより読み出して、水平偏向制御回路１４および垂直偏向制御回路１５に設定する。具体的には、読み出した水平サイズ調整パラメータＳＨおよび水平位置調整パラメータＰＨを水平偏向制御回路１４に設定し、垂直サイズ調整パラメータＳＶおよび垂直位置調整パラメータＰＶを垂直偏向制御回路１５に設定する。
【００７０】
また、調整パラメータテーブル１２ｂに、検出した同期周波数ｆＨ，ｆＶに対応した調整パラメータがないとき、主制御部１１は、ステップＳＴ５で、当該同期周波数ｆＨ，ｆＶに基づいて、上述した演算によって、水平タイミングデータｔ１，ｔ２，ｔ３および垂直タイミングデータＬ１，Ｌ２，Ｌ３を算出する。
【００７１】
次に、ステップＳＴ６で、主制御部１１は、算出したタイミングデータを用いて、後述する所定の演算を行うことにより調整パラメータを算出する。そして、主制御部１１は、ステップＳＴ７で、求めた調整パラメータを、その水平同期周波数ｆＨおよび垂直同期信号ｆＶと関連付けて、調整パラメータテーブル１２ｂに追加登録すると共に、ステップＳＴ４で、求めた調整パラメータを水平偏向制御回路１４および垂直偏向制御回路１５に設定する。
【００７２】
主制御部１１により水平サイズ調整パラメータＳＨおよび水平位置調整パラメータＰＨが設定された水平偏向制御回路１４は、これらの調整パラメータに従ったタイミングで水平偏向制御信号を水平偏向パルス出力回路１８に出力し、水平偏向パルス出力回路１８はこの水平偏向制御信号に信号処理を施して水平偏向パルス２３を出力し、ＣＲＴ２０の水平偏向ヨーク（図示せず）に印加する。一方、主制御部１１により垂直サイズ調整パラメータＳＶおよび垂直位置調整パラメータＰＶが設定された垂直偏向制御回路１５は、これらの調整パラメータに従ったタイミングで垂直偏向制御信号を垂直偏向パルス出力回路１９に出力し、垂直偏向パルス出力回路１９はこの垂直偏向制御信号に信号処理を施して垂直偏向パルス２４を出力し、ＣＲＴ２０の垂直偏向ヨーク（図示せず）に印加する。
【００７３】
このＣＲＴ２０には、ビデオ出力回路１３で入力ビデオ信号２１から作成されたＲＧＢビデオ信号２２が供給される。したがって、ＣＲＴ２０の画面には、入力ビデオ信号２１の種別に拘わらず、常に最適なサイズおよび位置の映像が表示される。
【００７４】
次に、主制御部１１による調整パラメータの算出方法を説明する。
【００７５】
水平方向の調整パラメータである水平サイズ調整パラメータＳＨと水平位置調整パラメータＰＨとは、次の（１３）式、（１４）式に示したような関数として定義される。
ＳＨ＝ｆ(t1,t2,t3,D1,D2)                               ・・・（１３）
ＰＨ＝ｇ(t1,t2,t3,δrH1,δrH2,δrH3,δrH4,ΔH1,ΔH2,fH)      ・・・（１４）
【００７６】
ここで、ｔ１，ｔ２，ｔ３は、図４で定義した量であり、上述したように水平同期周波数ｆＨおよび垂直同期周波数ｆＶを用いて求められた値である。Ｄ１，Ｄ２は、テスト用のビデオ信号を入力して２点調整を行ったときの画面上の水平方向における映像領域幅の物理サイズを表し、δｒＨ１，δｒＨ２，δｆＨ３，δｒＨ４は、水平周期ｔＨに対する水平オフセット量δＨの比である水平オフセット率を表し、ΔＨ１，ΔＨ２は、図４に示した遅延量ΔＨを表す。これらのデータは、図３に示した固有特性データ記憶エリア１２ｃに格納されている。ｆＨは水平同期信号ＳＹＮＣＨの周波数であり、入力ビデオ信号２１を計測することで得られる。
【００７７】
新たに未知のビデオ信号が入力されたときは、その信号の同期周波数ｆＨ，ｆＶを検出し、このｆＨ，ｆＶを用いてタイミングデータｔ１，ｔ２，ｔ３を算出すると共に固有特性データ記憶エリア１２ｃからＤ１，Ｄ２等を読み出して、上記の（１３）式、（１４）式を適用することにより、水平サイズ調整パラメータＳＨと水平位置調整パラメータＰＨとを得ることができる。そして、これらの調整パラメータを水平偏向制御回路１４に出力することにより、水平方向について、映像領域のサイズおよび位置が適正に調整されることとなる。以下、図７〜図９を参照して、さらに詳細に説明する。
【００７８】
まず、図７を参照して、水平サイズ調整パラメータＳＨの求め方を説明する。まず、不揮発性メモリ１２の固有特性データ記憶エリア１２ｃ（図３参照）から、画面の水平方向の映像領域幅の物理サイズＤ１，Ｄ２と、これらに対応する水平サイズ調整パラメータＳＨ１，ＳＨ２と、アクティブ率ｒ０とを読み出し、これらの値を基に、２つの調整点における水平ラスターサイズＤ１／ｒ０，Ｄ２／ｒ０を算出する。ここで、水平ラスターサイズとは、水平方向の走査幅を意味する。これにより、図７に示したような水平ラスターサイズ対水平サイズ調整パラメータＳＨの補間直線を得る。ここで、水平ラスターサイズは水平サイズ調整パラメータに対してリニアに変化するものとしている。
【００７９】
次に、入力ビデオ信号２１より検出した水平同期周波数ｆＨおよび垂直同期周波数ｆＶに基づいて、タイミングデータｔ１，ｔ２，ｔ３を算出する。そして、（１５）式で、その入力ビデオ信号についてのアクティブ率ｒを計算する。
【００８０】
ｒ＝ｔ３／（ｔＨ−ｔ４）＝ｔ３／（ｔ１＋ｔ２＋ｔ３−ｔ４）
・・・（１５）
そして、目標とする水平方向の映像領域幅の物理サイズＤＴを、（１５）式で求めたアクティブ率ｒで割って、目標とするラスターサイズＤＴ／ｒを求める。
【００８１】
次に、図７に示した補間直線から、ラスターサイズが上記のようにして求めたＤＴ／ｒとなるときの水平サイズ調整パラメータＳＨＴを求める。この水平サイズ調整パラメータＳＨＴを水平偏向制御回路１４に出力することにより、画面の左右方向の映像領域のサイズが適正に調整されることとなる。
【００８２】
次に、図８および図９を参照して、水平位置調整パラメータＰＨの求め方を説明する。まず、不揮発性メモリ１２の固有特性データ記憶エリア１２ｃ（図３参照）から、水平オフセット率の水平周期周波数依存特性を表すデータ、すなわち、図３に示した例では、水平同期信号ＳＹＮＣＨの周波数ｆＨ１，ｆＨ２，ｆＨ３，ｆＨ４に対応した水平オフセット率δｒＨ１，δｒＨ２，δｆＨ３，δｒＨ４を読み出し、これらの値を基に、図８に示したような水平同期周波数ｆＨ対水平オフセット率δｒＨの補間直線を得る。
【００８３】
次に、図８に示した補間直線から、目標の周波数ｆＨＴ（すなわち、入力ビデオ信号２１の水平同期周波数ｆＨ）に対応する水平オフセット率δｒＨＴを求める。
【００８４】
ところで、図４から明らかなように、遅延量（すなわち、水平同期信号ＳＹＮＣＨの先端から水平偏向パルス２３の後端までの時間）ΔＨは、次の（１６）式で表される。
ΔＨ＝（ｔ２−ｔ１＋ｔ４）／２−δｒＨ×ｔＨ        ・・・（１６）
【００８５】
そこで、（１６）式のオフセット率δｒＨとして、目標値δｒＨＴを代入することにより、目標の遅延量ΔＨＴを求める。
【００８６】
次に、主制御部１１は、固有特性データ記憶エリア１２ｃ（図３参照）から、遅延量ΔＨ１，ΔＨ２と、これらに対応する水平位置パラメータＰＨ１，ＰＨ２とを読み出し、図９に示したような遅延量ΔＨ対水平位置パラメータＰＨの補間直線を得る。ここで、遅延量ΔＨは水平位置パラメータＰＨに対してリニアに変化するものとしている。
【００８７】
次に、主制御部１１は、図９に示した遅延量ΔＨ対水平位置パラメータＰＨの補間直線から、（１６）式で求めた目標の遅延量ΔＨＴに対応する水平位置調整パラメータＰＨＴを求める。そして、この水平位置調整パラメータＰＨＴを水平偏向制御回路１４に出力することにより、画面の左右方向における映像領域の位置が適正に調整されることとなる。
【００８８】
以上は水平走査についての調整パラメータの求め方であるが、垂直走査についての調整パラメータについても、基本的な手順は同様である。以下、簡単に説明する。
【００８９】
垂直方向の調整パラメータである垂直サイズ調整パラメータＳＶと垂直位置調整パラメータＰＶとは、次の（１７），（１８）式のような関数として定義される。
ＳＶ＝Ｆ（Ｌ１，Ｌ２，Ｌ３，Ｅ１，Ｅ２）  ・・・（１７）
ＰＶ＝Ｇ（Ｌ１，Ｌ２，Ｌ３，ｆＶ）        ・・・（１８）
【００９０】
ここで、Ｌ１，Ｌ２，Ｌ３は、図５で定義した量であり、上述したように水平同期周波数ｆＨおよび垂直同期周波数ｆＶを用いて求められた値である。Ｅ１，Ｅ２は、実際にビデオ信号を入力して２点調整を行ったときの画面の垂直方向における映像領域の物理サイズを表すもので、図３に示した固有特性データ記憶エリア１２ｃに格納されている（ただし、図３では図示を省略している）。ｆＶは垂直同期信号ＳＹＮＣＶの周波数であり、入力ビデオ信号２１を計測することで得られる。
【００９１】
新たに未知のビデオ信号が入力されたときは、その信号の同期周波数ｆＨ，ｆＶを検出し、このｆＨ，ｆＶを用いてタイミングデータＬ１，Ｌ２，Ｌ３を算出すると共に固有特性データ記憶エリア１２ｃからＥ１，Ｅ２（図示せず）を読み出して、上記の（１７）式、（１８）式を適用することにより、垂直サイズ調整パラメータＳＶと垂直位置調整パラメータＰＶとを得ることができる。そして、これらの調整パラメータを垂直偏向制御回路１５に出力することにより、垂直方向についても、映像領域のサイズおよび位置が適正に調整されることとなる。
【００９２】
このように、本実施の形態においては、入力ビデオ信号２１から検出された水平同期周波数ｆＨおよび垂直同期周波数ｆＶを用いて当該入力映像信号２１の波形に係る水平タイミングデータｔ１，ｔ２，ｔ３および垂直タイミングデータＬ１，Ｌ２，Ｌ３を算出し、このタイミングデータを用いて映像表示状態（表示サイズ、表示位置）を調整するための調整パラメータＳＨ，ＰＨ，ＳＶ，ＰＶを算出して使用するものであり、複数種別の入力ビデオ信号に対応したタイミングデータを記憶しておくことが不要であり、メモリ容量の節約を図ることができる。
【００９３】
また、本実施の形態においては、算出された調整パラメータＳＨ，ＰＨ，ＳＶ，ＰＶを水平同期周波数ｆＨおよび垂直同期周波数ｆＶに関連付けて調整パラメータテーブル１２ｂに記憶しておき、入力ビデオ信号２１から検出された水平同期周波数ｆＨおよび垂直同期周波数ｆＶに対応した所定の調整パラメータが調整パラメータテーブル１２ｂにあるときは、その所定の調整パラメータに基づいて入力ビデオ信号２１に係る映像表示を行うものであり（図６のＳＴ３，ＳＴ８参照）、同じ種別の入力ビデオ信号２１が再度入力されたとき、タイミングデータや調整パラメータの算出を行うことなく、調整パラメータテーブル１２ｂから調整パラメータを直ちに取得でき、ビデオ信号の入力から表示までの時間を短くでき、応答性がよくなる。
【００９４】
なお、上述第１の実施の形態においては、入力ビデオ信号２１がＧＴＦ規格に対応したものである旨を説明したが、水平同期周波数および垂直同期周波数に基づいて水平、垂直のタイミングデータを算出できるものであればその他のビデオ信号の入力にも対処できるものである。
【００９５】
次に、この発明の第２の実施の形態について説明する。図１０は、第２の実施の形態としての映像表示装置１００Ａの構成を示している。この映像表示装置１００Ａは、ＶＥＳＡのＧＴＦ規格に対応した映像信号を含む複数の種別の映像信号（以下、「ビデオ信号」という）に対応可能なマルチスキャン型モニタとして構成されたものである。この図１０において、図１と対応する部分には、同一符号を付し、その詳細説明は省略する。
【００９６】
この映像表示装置１００Ａは、図１に示す映像表示装置１００におけるビデオ信号計測回路１６の代わりに、ビデオ信号計測回路１６Ａを有している。このビデオ信号計測回路１６Ａには、ビデオ出力回路１３から入力ビデオ信号２１と同じ信号が入力される。このビデオ信号計測回路１６Ａは、入力ビデオ信号２１における同期信号の周波数（水平同期周波数ｆＨ、垂直同期周波数ｆＶ）および同期信号の極性を計測し、その計測結果を種別データとして主制御部１１に送出する。
【００９７】
また、映像表示装置１００Ａは、図１に示す映像表示装置１００における不揮発性メモリ１２の代わりに、不揮発性メモリ１２Ａを有している。この不揮発性メモリ１２Ａは、例えばＥ2ＰＲＯＭ（電気的に消去可能なプログラム可能ＲＯＭ）等からなり、少なくとも、タイミングデータテーブル１２ａと、固有特性データ記憶エリア１２ｃとを含むように構成される。
【００９８】
固有特性データ記憶エリア１２ｃは、図１に示す映像表示装置１００における不揮発性メモリ１２に含まれていたものと同じである（図３参照）。タイミングデータテーブル１２ａは、工場において予めビデオ信号の種別毎に各種のタイミングデータを対応付けて格納して作成したものである。
【００９９】
図１１は、不揮発性メモリ１２Ａにおけるタイミングデータテーブル１２ａの内容を表すものである。このタイミングデータテーブル１２ａは、工場等において予め作成されて不揮発性メモリ１２Ａに書き込まれたもので、予め使用が想定されるビデオ信号の種別（種別データ１２１）毎に、各ビデオ信号の波形に係るタイミングデータ１２２と信号タイプとをそれぞれ対応付けて構成されている。
【０１００】
種別データ１２１には、水平および垂直の各同期信号の周波数および極性が含まれ、タイミングデータ１２２には、水平タイミングデータｔ１，ｔ２，ｔ３と、垂直タイミングデータＬ１，Ｌ２，Ｌ３とが含まれている。これら、水平タイミングデータｔ１，ｔ２，ｔ３および垂直タイミングデータＬ１，Ｌ２，Ｌ３は、上述の第１の実施の形態の部分で説明したと同様であるので、その説明は省略する。
【０１０１】
図示の例では、例えば周波数が８１．９ｋＨｚで負極性「Ｎ」の水平同期信号と、周波数が７５Ｈｚで負極性「Ｎ」の垂直同期信号とを有するビデオ信号等に係るタイミングデータが記録されている。なお、信号タイプとしては、水平同期信号および垂直同期信号がビデオ信号本体部（アクティブ区間）と分離している分離タイプ（ＳＥＰ）や、水平同期信号および垂直同期信号とビデオ信号本体部とが混じっているコンポジットタイプ（ＣＯＭＰ）等がある。
【０１０２】
また、映像表示装置１００Ａは、遅延量計測回路３０を有している。この遅延量計測回路３０には、ビデオ信号計測回路１６Ａから出力される水平同期信号ＳＹＮＣＨが供給されると共に、水平偏向パルス出力回路１８から出力される水平偏向パルス２３が供給される。遅延量計測回路３０は、水平同期信号ＳＹＮＣＨの先端から水平偏向パルス２３の後端までの時間を遅延量ΔＨ（図４Ａおよび図４Ｂ参照）として計測し、その計測結果を主制御部１１に送出する。
【０１０３】
映像表示装置１００Ａのその他は、図１に示す映像表示装置１００と同様に構成される。
【０１０４】
次に、図１２を参照して、上述の映像表示装置１００Ａの動作を説明する。ここでは、主制御部１１の動作を中心として説明するものとし、他の部分の説明は省略する。
【０１０５】
まず、主制御部１１は、ビデオ出力回路１３に入力ビデオ信号２１の入力があると、ステップＳＴ１１で、ビデオ信号計測回路１６Ａに、入力ビデオ信号２１における同期信号の周波数（水平同期周波数ｆＨ、垂直同期周波数ｆＶ）および同期信号の極性を計測することを指示し、その計測結果を種別データとして取得する。
【０１０６】
次に、ステップＳＴ１２で、主制御部１１は、取得した種別データを検索キーとしてタイミングデータテーブル１２ａ（図１１参照）を検索する。そして、ステップＳＴ１３で、その種別データに対応したタイミングデータがあるか否かを判定する。取得した種別データに対応したタイミングデータがあるときは、ステップＳＴ１４に進む。
【０１０７】
一方、取得した種別データに対応したタイミングデータがないときは、ステップＳＴ１５で、主制御部１１は、取得した種別データのうち水平同期周波数ｆＨ、垂直同期周波数ｆＶを用いて、水平タイミングデータｔ１，ｔ２，ｔ３および垂直タイミングデータＬ１，Ｌ２，Ｌ３を算出し、その後にステップＳＴ１４に進む。このタイミングデータの算出方法は、上述の第１の実施の形態の説明で述べたと同様であるので、ここではその説明を省略する。
【０１０８】
ステップＳＴ１４で、主制御部１１は、タイミングデータを用いて、調整パラメータ（水平サイズ調整パラメータＳＨ、水平位置調整パラメータＰＨ、垂直サイズ調整パラメータＳＶ、垂直サイズ調整パラメータＰＶ）を算出する。この調整パラメータの算出方法は、上述の第１の実施の形態の説明で述べたと同様であるので、ここではその説明を省略する。
【０１０９】
次に、ステップＳＴ１６で、主制御部１１は、算出した調整パラメータを水平偏向制御回路１４および垂直偏向制御回路１５に設定する。
【０１１０】
主制御部１１により水平サイズ調整パラメータＳＨおよび水平位置調整パラメータＰＨが設定された水平偏向制御回路１４は、これらの調整パラメータに従ったタイミングで水平偏向制御信号を水平偏向パルス出力回路１８に出力し、水平偏向パルス出力回路１８はこの水平偏向制御信号に信号処理を施して水平偏向パルス２３を出力し、ＣＲＴ２０の水平偏向ヨーク（図示せず）に印加する。
【０１１１】
一方、主制御部１１により垂直サイズ調整パラメータＳＶおよび垂直位置調整パラメータＰＶが設定された垂直偏向制御回路１５は、これらの調整パラメータに従ったタイミングで垂直偏向制御信号を垂直偏向パルス出力回路１９に出力し、垂直偏向パルス出力回路１９はこの垂直偏向制御信号に信号処理を施して垂直偏向パルス２４を出力し、ＣＲＴ２０の垂直偏向ヨーク（図示せず）に印加する。
【０１１２】
また、このＣＲＴ２０には、ビデオ出力回路１３で入力ビデオ信号２１から作成されたＲＧＢビデオ信号２２が供給される。したがって、ＣＲＴ２０には、入力ビデオ信号２１の種別に拘わらず、入力ビデオ信号２１による画像が、常に最適なサイズおよび位置で表示されることとなる。
【０１１３】
ここで、偏向系に経時劣化がない場合には、算出された水平位置調整パラメータＰＨを水平偏向制御回路１４に設定することで、水平同期信号ＳＹＮＣＨの先端から水平偏向パルス２３の後端までの時間、即ち遅延量ΔＨが目標の遅延量ΔＨＴと等しくなり、水平方向の表示位置が正しい位置となる。
【０１１４】
しかし、偏向系に経時劣化があるときは、この遅延量ΔＨが目標の遅延量ΔＨＴとは異なったものとなり、その結果水平方向の表示位置が正しい位置からずれる。そこで、次に、主制御部１１は、ステップＳＴ１７で、遅延量ΔＨが目標の遅延量ΔＨＴとなるように、遅延量ΔＨの追い込み処理を行った後に、処理を終了する。
【０１１５】
図１３を参照して、遅延量ΔＨの追い込み処理の動作を説明する。
【０１１６】
まず、ステップＳＴ２１で、主制御部１１は、遅延量計測回路３０に、遅延量ΔＨを計測することを指示し、その計測結果を取得する。そして、ステップＳＴ２２で、主制御部１１は、遅延量ΔＨが目標の遅延量ΔＨＴと同じか否かを判定する。ここで、目標の遅延量ΔＨＴは、上述したように、（１６）式のδｒＨに、図８に示した補間直線から求められた目標値δｒＨＴを代入することで、求められる。
【０１１７】
遅延量ΔＨが目標の遅延量ΔＨＴと同じでないときは、ステップＳＴ２３で、主制御部１１は、遅延量ΔＨが目標の遅延量ΔＨＴより大きいか否かを判定する。遅延量ΔＨが目標の遅延量ΔＨＴより大きいとき、ステップＳＴ２４で、主制御部１１は、水平偏向制御回路１４に設定されている水平位置調整パラメータＰＨの値を１変更単位量だけ減じて再設定し、その後にステップＳＴ２１に戻る。一方、遅延量ΔＨが目標の遅延量ΔＨＴより小さいとき、ステップＳＴ２５で、主制御部１１は、水平偏向制御回路１４に設定されている水平位置調整パラメータＰＨの値を１変更単位量だけ増やして再設定し、その後にステップＳＴ２１に戻る。
【０１１８】
また、上述のステップＳＴ２２で、遅延量ΔＨが目標の遅延量ΔＨＴと同じであるときは、追い込み処理を終了する。ここで、遅延量ΔＨが目標の遅延量ΔＨＴと同じであるということは、遅延量ΔＨと目標の遅延量ΔＨＴとが完全に一致する場合だけでなく、遅延量ΔＨが目標の遅延量ΔＨＴを中心とする前後所定範囲内に入っている場合も含むものとする。
【０１１９】
このように、第２の実施の形態においては、遅延量ΔＨが目標の遅延量ΔＨＴとなるように追い込み処理をするので、偏向系に経時劣化があっても、水平方向の表示位置を正しい位置とすることができる。
【０１２０】
なお、この第２の実施の形態においては、上述せずも、不揮発性メモリ１２Ａにさらに第１の実施の形態と同様の調整パラメータテーブル１２ｂを備えるようにしてもよい。その場合、ステップＳＴ１４で求めた調整パラメータを、入力ビデオ信号２１から得られる種別データと関連付けて調整パラメータテーブル１２ｂに登録しておくようにする。そして、新たに入力ビデオ信号２１の入力がある場合、それから得られる種別データに対応する調整パラメータが調整パラメータテーブル１２ｂにあるときは、調整パラメータを算出することなく、当該調整パラメータテーブル１２ｂから入力ビデオ信号２１に対応した調整パラメータを読み出して使用できる。
【０１２１】
上述の第１の実施の形態においては、上述の第２の実施の形態におけるような追い込み処理を行っていないが、第２の実施の形態と同様に、遅延量ΔＨが目標の遅延量ΔＨＴと同じくなるように追い込み処理を行うようにしてもよい。その場合、例えば、図６のステップＳＴ４の後に、追い込み処理のステップ（図１２のステップＳＴ１７参照）を挿入すればよい。このように追い込み処理を行うことで、偏向系に経時劣化があっても、水平方向の表示位置を正しい位置とすることができる。
【０１２２】
なお、上述実施の形態においては、各装置固有の特性データ（図３参照）を用いて調整パラメータを求めるものであったが、この発明はこれに限られるものではなく、装置間の差が僅かであれば、すべての装置について一律に同じ固定データを特性データとして用いるようにしてもよい。
【０１２３】
また、上述実施の形態では、図７〜図９に沿って説明した手順によって調整パラメータを求めるようにしたが、その他の手順によることも可能である。
【０１２４】
この発明によれば、入力映像信号から検出された水平同期周波数および垂直同期周波数を用いて当該入力映像信号の波形に係るタイミングデータを算出し、このタイミングデータを用いて映像表示状態を調整するための調整パラメータを算出し、この調整パラメータに基づいて当該入力映像信号に係る映像表示を行うものであり、複数種別の映像信号に対応した調整パラメータを求めるために、当該複数種別の映像信号に対応したタイミングデータを記憶しておくことが不要となり、メモリ容量の節約を図ることができる。
【０１２５】
また、この発明によれば、算出された調整パラメータを水平同期周波数および垂直同期周波数に関連付けて記憶手段に記憶しておき、入力映像信号から検出された水平同期周波数および垂直同期周波数に対応した所定の調整パラメータが記憶手段にあるときはその所定の調整パラメータに基づいて入力映像信号に係る映像表示を行うものであり、同じ種別の映像信号が再度入力されたとき、タイミングデータや調整パラメータの算出を行うことなく、記憶手段より直ちに取得でき、映像信号の入力から表示までの時間が短く、応答性がよくなる。
【０１２６】
また、この発明によれば、入力映像信号の波形に係るタイミングデータを用いて映像表示状態を調整するための調整パラメータを算出し、この調整パラメータを偏向制御回路に設定し、その後入力映像信号の水平同期信号に対する偏向パルスの遅延量を計測し、この遅延量が目標の遅延量となるように、水平位置パラメータの値を変更して偏向制御回路に再設定するものであり、偏向系に経時劣化があっても、水平方向の表示位置を正しい位置とできる。
【産業上の利用可能性】
【０１２７】
以上のように、この発明に係る映像表示装置および映像表示方法は、種々の映像信号に対応し得る機能を持ったいわゆるマルチスキャン型モニタに適用して好適なものとなる。
【図面の簡単な説明】
【０１２８】
図１は、第１の実施の形態としての映像表示装置の構成を示すブロック図である。
図２は、不揮発性メモリにおける調整パラメータテーブルの内容を説明するための図である。
図３は、不揮発性メモリにおける固有特性データ記憶エリアの内容を説明するための図である。
図４Ａおよび図４Ｂは、入力ビデオ信号の１水平走査期間の波形と水平偏向パルスを示す図である。
図５は、入力ビデオ信号の１垂直走査期間の波形を示す図である。
図６は、調整パラメータの設定処理を示すフローチャートである。
図７は、水平サイズ調整パラメータの求め方を説明するための図である。
図８は、水平位置調整パラメータの求め方を説明するための図である。
図９は、水平位置調整パラメータの求め方を説明するための図である。
図１０は、第２の実施の形態としての映像表示装置の構成を示すブロック図である。
図１１は、不揮発性メモリにおけるタイミングデータテーブルの内容を説明するための図である。
図１２は、調整パラメータの設定処理を示すフローチャートである。
図１３は、遅延量の追い込み処理を示すフローチャートである。
図１４は、ビデオ信号の１水平走査期間の波形を示す図である。
図１５は、ビデオ信号の１垂直走査期間の波形を示す図である。
【図１】
0004193693.tif 000002
【図２】
0004193693.tif 000003
【図３】
0004193693.tif 000004
【図４Ａ】
0004193693.tif 000005
【図４Ｂ】
0004193693.tif 000006
【図５】
0004193693.tif 000007
【図６】
0004193693.tif 000008
【図７】
0004193693.tif 000009
【図８】
0004193693.tif 000010
【図９】
0004193693.tif 000011
【図１０】
0004193693.tif 000012
【図１１】
0004193693.tif 000013
【図１２】
0004193693.tif 000014
【図１３】
0004193693.tif 000015
【図１４】
0004193693.tif 000016
【図１５】
0004193693.tif 000017